(57)【要約】【目的】撮影シーンに最適なＢＧＭを自動的に挿入できるようにすることによって、ユーザーの利便性を高めることができる撮像記録装置を提供すること。【構成】    撮像手段と、日時、位置、撮影モード等の撮影環境の情報を検出する検出手段と、ＢＧＭ用音楽ファイルを格納する格納手段と、前記撮影環境情報と前記ＢＧＭ用音楽ファイルを関連付けて関連付け情報を生成する関連付け情報手段と、前記関連付け情報に基づいてＢＧＭを再生する再生手段と、前記ＢＧＭを撮像手段出力に合成する合成手段を含んで撮像記録装置を構成する。ここで、前記合成手段は、撮影環境情報に基づいてＢＧＭ音量を調整することを特徴とする。【選択図】      図１
2004221666.tif 000002
【特許請求の範囲】
【請求項１】
撮像手段と、日時、位置、撮影モード等の撮影環境の情報を検出する検出手段と、ＢＧＭ用音楽ファイルを格納する格納手段と、前記撮影環境情報と前記ＢＧＭ用音楽ファイルを関連付けて関連付け情報を生成する関連付け情報手段と、前記関連付け情報に基づいてＢＧＭを再生する再生手段と、前記ＢＧＭを撮像手段出力に合成する合成手段を有することを特徴とする撮像記録装置。
【請求項２】
前記合成手段は、撮影環境情報に基づいてＢＧＭ音量を調整することを特徴とする請求項１記載の撮像記録装置。
【請求項３】
前記合成手段は、マイク入力音声とＢＧＭを合成する手段を有することを特徴とする請求項２記載の撮像記録装置。
【請求項４】
前記格納手段は、撮影環境情報に基づいて構成される内部構造であることを特徴とする請求項２記載の撮像記録装置。
【請求項５】
撮像手段と、日時、位置、撮影モード等の撮影環境の情報を検出する検出手段と、ＢＧＭ用音楽ファイルを格納する格納手段と、前記撮影環境情報と前記ＢＧＭ用音楽ファイルを関連付けて関連付け情報を生成する関連付け情報手段と、前記関連付け情報を撮像手段出力に合成してメタデータとして記録する記録手段を有することを特徴とする撮像記録装置。
【請求項６】
前記格納手段は、撮影環境情報に基づいて構成される内部構造であることを特徴とする請求項５記載の撮像記録装置。
【請求項７】
再生時には、前記メタデータに基づいて格納手段に格納されたＢＧＭ用音楽ファイルを再生する再生手段を有することを特徴とする請求項５記載の撮像記録装置。
【発明の詳細な説明】
【０００１】
【発明の属する技術分野】
本発明は、ビデオカメラやデジタルカメラに用いて好適であり、その中でもＢＧＭを撮影画像に挿入する技術に関するものである。
【０００２】
【従来の技術】
最近のビデオカメラはデジタル化され、多機能化している。その１つとして、撮影する場面の映像、音を記録するだけに止まらず、ＢＧＭを音声合成回路等で挿入する機能も搭載されてきた。動画、静止画の記録・撮影時にＢＧＭを挿入する場合、次の２つの操作が必要となる。１つは音楽を選曲して確認すること、もう１つはＢＧＭ挿入ボタン等でどこから音楽を挿入するかタイミング良く操作する（トリガーを掛ける）ことである。
【０００３】
【発明が解決しようとする課題】
上記のような手順でのＢＧＭを挿入する場合、ＢＧＭを選曲することに時間を取られて撮影のタイミングを逃し兼ねない。又は、一度設定したままの楽曲をＢＧＭとした単調な音楽再生となる。▲１▼ＢＧＭ用音楽の容易な選曲方法、▲２▼楽曲データの管理の２つを見直すことによって、撮影現場でのユーザーの負担を軽減し、所謂シャッターチャンスを逃すことなく、より演出された撮影を行えるようにする。
【０００４】
従って、本発明は、撮影シーンに最適なＢＧＭを自動的に挿入できるようにすることによって、ユーザーの利便性を高めることができる撮像記録装置を提供することを目的としている。
【０００５】
【課題を解決するための手段】
上記目的を達成するため、本発明は、撮像手段と、日時、位置、撮影モード等の撮影環境の情報を検出する検出手段と、ＢＧＭ用音楽ファイルを格納する格納手段と、前記撮影環境情報と前記ＢＧＭ用音楽ファイルを関連付けて関連付け情報を生成する関連付け情報手段と、前記関連付け情報に基づいてＢＧＭを再生する再生手段と、前記ＢＧＭを撮像手段出力に合成する合成手段を含んで撮像記録装置を構成したことを特徴とする。
【０００６】
又、本発明は、撮像手段と、日時、位置、撮影モード等の撮影環境の情報を検出する検出手段と、ＢＧＭ用音楽ファイルを格納する格納手段と、前記撮影環境情報と前記ＢＧＭ用音楽ファイルを関連付けて関連付け情報を生成する関連付け情報手段と、前記関連付け情報を撮像手段出力に合成してメタデータとして記録する記録手段を含んで撮像記録装置を構成したことを特徴とする。
【０００７】
【発明の実施の形態】
以下に本発明の実施の形態を添付図面に基づいて説明する。
【０００８】
本発明の構成を図１に示し、これを参照しながら実施の形態を以下詳細に説明する。
【０００９】
先ず、音楽ＣＤ等からｍｐ３、ＰＣＭオーディオ等のフォーマットにした音楽ファイルをＩＣカード型メディアやディスク型記録メディア等の普及型記録メディア１２に記録する。この音楽ファイルは、通信手段１）  により携帯用音楽プレーヤー（ＣＤプレーヤー、ＭＤプレーヤー、ＭＰ３プレーヤー、携帯電話端末等）やネット上からのダウンロードでの入手も可能なものでもあり、携帯電話で使用される着メロ等を利用しても良い。
【００１０】
記録するフォルダシステム制御部１３を用いて、図２に示すようなディレクトリ構成を用意しておき、これらの音楽ファイルを格納するディレクトリを決める。このディレクトリ構造は、カメラ環境情報から選択可能な分類方法にするため、カメラ環境情報に則した名前とする。図２に示す例のように季節、日付、時刻、カメラの撮影モード等を配置し、これらのディレクトリ内に予め音楽ファイルを保存する。撮影時、内部情報１０から得られる撮影環境情報に対応させる関連付け手段１４を経由してフォルダ内の曲を自動的にＢＧＭとして選曲する。これらのフォルダ又は環境情報に対してユーザーが予め優先順位を付け、その優先順位に従って自動的に選曲される。
【００１１】
このときのＢＧＭの容易な選曲方法として、カメラの撮影環境情報を利用して自動選択させる方式を採る。ここで、撮影環境情報とは、日付、時間、撮影場所、撮影モード等のカメラが保持している情報である。又、今後ＧＰＳ機能の搭載等により、撮影場所等も分かることが予想される。更に、ビデオカメラを入力装置としての利用も考えられ、この被写体より得られる情報も「カメラ撮影環境情報」として位置付ける。これらの環境情報から、「季節、日付（お正月、子供の日，クリスマス等）撮影シーン、場所、天気」等の情報を得ることができ、その環境に最適なＢＧＭが自動的に選択される。選択された後のＢＧＭの記録方法として２つの実施の形態について説明する。
【００１２】
＜実施の形態１＞
本実施の形態は、選曲されたＢＧＭを撮影中のマイク入力音声と合成記録する方式である。    
【００１３】
ビデオカメラの記録媒体にマイクロフォン２３からの外部の音と、ＢＧＭとして自動選択された音楽を合成して直接記録する場合について説明する。
【００１４】
関連付け手段で関連付けられたＢＧＭ用音楽ファイルデータは、音声再生部２２で再生され、音声合成回路１５に入力される。音声合成回路では、同時記録のため、マイクロフォンからの音声とＢＧＭの音量レベル音量レベルを調整する機能を実現する。この音量レベルを調整する機能を併せ持つ音声合成回路１５を通してＢＧＭの音量調整を行う。
【００１５】
マイク音声入力の音量を考慮して設計した音量を保つことにより、ＢＧＭによって音声をかき消さないように配慮する。又、逆にマイクに風の音等の騒音が入る場合には、ＢＧＭの音量を大きくしてマスクすることも可能である。ＢＧＭ音量もカメラの撮影環境情報と連動させる。例えば、風景モード、サーフ＆スノーモード等、人の話し声等が入らない場合、ＢＧＭ音量は大きくなり、スポーツ観戦モード等では歓声等の臨場感を拾うため、ＢＧＭ音量は小さくする。そのように調整された音声が音声記録部１８に供給され、ディスクやテープ等の記録媒体１７に記録される。
【００１６】
＜実施の形態２＞
次に、本発明の実施の形態２について説明する。
【００１７】
本実施の形態は、ＢＧＭにする音楽ファイル情報をメタデータ等の付加情報として記録する方式である。
【００１８】
音楽ファイル情報として記録するときには、関連付け手段１４から、撮影環境情報とフォルダ情報とを関連付けられた関連付け情報がメタデータ合成回路２１に供給され、撮像部からの映像と共に映像記録部１６を通して、ディスクやテープ等の記録媒体１７に記録される。
【００１９】
このように、ユーザーによる記録装置の操作に同期して、撮影シーンに合わせた音楽がメタデータとして記録される。又、このメタデータから音楽と映像の再生順序を記述したプレイリストファイルを作って、再生時にＢＧＭ再生を行っても構わない。このプレイリストはパソコン等の外部端末による編集も可能であり、ＢＧＭ付きのオリジナル映像を楽しむことができる。
【００２０】
【発明の効果】
以上の説明で明らかなように、本発明によれば、撮影シーンにおいてＢＧＭを選択する負担を軽減し、ＢＧＭを自動挿入することが可能になり、手軽にＢＧＭによって演出された映像を楽しむことができるとう効果が得られる。
【図面の簡単な説明】
【図１】本発明のシステム構成である。
【図２】音楽ファイルを格納するディレクトリ構造例を示す図である。
【符号の説明】
１０      内部情報
１１      通信手段
１２      格納メモリ
１３      フォルダシステム制御部
１４      関連付け手段
１５      音声合成回路
１６      映像記録部
１７      記録媒体
１８      音声記録部
１９      音声出力部
２０      撮像部
２１      メタデータ合成回路
２２      音声再生部
２３      マイクロフォン
【図１】
2004221666.tif 000003
【図２】
2004221666.tif 000004